(57)【要約】      （修正有）【課題】スロットマシン本体の扉の開閉作業を伴わず、且つ、既存の機器に対して電気的接続を伴わずに追加され、設定値の確認を確実且つ容易にする回胴式遊技機の設定値識別装置およびこれを用いた設定値識別システムを提供する。【解決手段】スロットマシンの出玉率の設定値の変更時に、通常状態から設定値変更状態へのモード変更の指示として設定値確認変更装置１から制御基板２に送信される信号１１を、第１の接続線４に非接触状態で組み付けた第１のセンサ９により検出信号１３として抽出し、制御基板２から表示器３に送信される表示信号１２の一部を、前記抽出と連動して、第２の接続線５に非接触状態で組み付けた第２のセンサ１０ａ〜１０ｃにより検出信号１４として抽出し、これを設定値情報１６として設定値識別装置本体７に記憶する。この記憶された設定値情報１６は、データ収集装置８からのデータ要求信号１５の入力に応じて収集される。【選択図】図１
2008125877.tif 000002
【特許請求の範囲】
【請求項１】
遊技および設定の機能を制御する制御手段と、前記制御手段に接続され、設定値表示状態と設定値非表示状態とに切り替える切替信号を前記制御手段へ送信する状態切替手段と、前記制御手段に接続され、この制御手段から送信される表示信号を受けて設定値を７セグメントで表示する設定値表示手段とを備えた遊技機の設定値識別装置であって、
前記状態切替手段と前記制御手段とを接続して前記切替信号を伝送する第１の接続線に対して非接触で装着する第１の電流検出手段と、
前記７セグメントと前記制御手段とを接続して前記表示信号を伝送する複数の第２の接続線のうち３つに対して非接触で装着する第２の電流検出手段と、
前記第１の電流検出手段が前記切替信号を検出すると、前記第２の電流検出手段により検出された前記表示信号の一部に基づいて設定値を識別する識別手段と、
識別した設定値を示す情報を記憶する記憶手段と、
記憶した設定値を示す情報を出力する出力手段と
を有することを特徴とする遊技機の設定値識別装置。
【請求項２】
遊技および設定の機能を制御する制御手段と、前記制御手段に接続され、設定値表示状態と設定値非表示状態とに切り替える切替信号を前記制御手段へ送信する状態切替手段と、前記制御手段に接続され、この制御手段から送信される表示信号を受けて設定値を７セグメントで表示する設定値表示手段と、
前記制御手段に接続され、電源スイッチを有する電源手段とを備えた遊技機の設定値識別装置であって、
前記状態切替手段と前記制御手段とを接続して前記切替信号を伝送する第１の接続線に対して非接触で装着する第１の電流検出手段と、
前記７セグメントと前記制御手段とを接続して前記表示信号を伝送する複数の第２の接続線のうち３つに対して非接触で装着する第２の電流検出手段と、
前記電源手段と前記制御手段とを接続する第３の接続線に対して非接触で装着する第３の電流検出手段と、
前記第３の電流検出手段が前記電源スイッチがオフからオンに切り替わったことを検出し、且つ前記第１の電流検出手段が前記切替信号を検出すると、前記第２の電流検出手段により検出された前記表示信号の一部に基づいて設定値を識別する識別手段と、
識別した設定値を示す情報を記憶する記憶手段と、
記憶した設定値を示す情報を出力する出力手段と
を有することを特徴とする遊技機の設定値識別装置。
【請求項３】
前記電流検出手段は、クランプ式交流電流センサであることを特徴とする請求項１又は請求項２に記載の遊技機の設定値識別装置。
【発明の詳細な説明】
【技術分野】
【０００１】
本発明は、回胴式遊技機の扉を開けることなく、出玉率設定値の確認を行うことのできる遊技機の設定値識別装置に関するものである。
【背景技術】
【０００２】
回胴式遊技機（スロットマシン）は、本体内に出玉率の設定値を変更する機能を備えている。以下、この設定値の変更および確認操作について、図を用いて説明する。
図９は従来のスロットマシンの設置状態を示した外観斜視図であり、図１０は図９のスロットマシンの内部に設置される設定値確認変更装置の拡大図であり、図１１は図９のスロットマシンの正面図である。
【０００３】
これらの図に示すように、遊技場に並列設置された各スロットマシン３１の内部には、それぞれの出玉率の設定値を変更又は確認をするための設定値確認変更装置１が備えられている。この設定値確認変更装置１の機能は予め定められたスロットマシン３１の出玉率を６段階中（２段階、３段階、４段階、５段階の場合も含む）の１つに設定するものである。
【０００４】
ここで、設定値の変更および確認の手順について説明する。
【０００５】
先ず、設定値確認変更装置１の電源スイッチ３３が一旦オフにされる。そして、設定値を変更するためには、スロットマシン３１を、通常の動作状態から設定値の変更が可能な状態へとモード変更しなければならない。これは、図１０に示した設定値確認変更装置１の正面に配置されたキースイッチ３４に対するキー操作により行われる。このキー操作は、具体的には、専用キーを用いてキースイッチ３４を通常遊技位置Ａから設定値変更位置Ｂへ切り替える操作である。この状態において、所定時間経過後に電源スイッチ３３がオンに戻される。
【０００６】
このとき、図１１に示したスロットマシン３１の正面に配置された表示器３には、そのときの設定値が表示される。ここで、この表示器３は通常遊技時においては、貯留枚数を表示する数値表示器として機能する。尚、貯留枚数を表示するには、複数桁の数値の表示が必要であるが、設定値の表示には、設定値１から設定値６までの６種類の数値が表示されれば十分なので、表示器３の下一桁を表示する表示部分のみが兼用される（図では説明の便宜上、下一桁のみを示している）。
【０００７】
ここまでの操作により、設定値の変更が可能な状態となる。そして、リセットボタンを兼ねる設定値変更ボタン３５を押す毎に設定値が変化する。そして、図１１に示した正面のガラス窓部３６の下方に配置されるスタートレバー３７を押すことにより、表示器３に表示された設定が確定し、ここで、キースイッチ３４を通常遊技位置Ａに戻すことにより、新たな設定値の下で通常遊技させることが可能となる。これにより、表示器３には貯留枚数が再び表示されるようになり、新たな設定値の下で通常遊技させることが可能となる。
【０００８】
また、設定値の確認の際には、上記のように、設定値確認変更装置１の電源スイッチ３３がオンの状態で、設定値確認変更装置１のキースイッチ３４を通常遊技位置Ａから設定値変更位置Ｂに切り替えることにより、表示器３に現在の設定値が表示される。
【０００９】
このように、設定値の変更と確認のいずれの場合であっても、内部に配置された設定値確認変更装置１を操作するため、スロットマシン３１の扉３２を開放しなければならない。
【００１０】
このスロットマシン３１の設定値は、事前に定められた出玉率を設定する値であり、営業所の経営を大きく左右する要素の一つである。したがって、この状態を常に把握しておくことは管理者側にとって極めて重要である。また、機器の不具合や不正により、管理者が知らないうちに設定値が変更されてしまうこともあり得るため、管理者は、定期的に確認する必要がある。それゆえ、上記確認作業が、閉店後の店内において頻繁に行われる。
【００１１】
例えば特許文献１に開示されているように、従来の技術には、設定キースイッチの電流変位を電流センサにより検知し、設定変更が行われたことを検知する不正検出装置がある。
【特許文献１】特開２００６−１４１５０４号公報
【発明の開示】
【発明が解決しようとする課題】
【００１２】
しかしながら、上記従来技術では、設定の変更があったことは検知できるが、どの設定値に変更されたかを検知することはできない。また、現在の設定値が分からないという問題点があった。
【００１３】
また、上記管理者側による確認作業は、各スロットマシン毎に目視で行われるため、膨大な労働時間を要すると共に、確認作業者にとって大きな負担となる。また、確認するためには、表示器に表示される数値を確認作業者が、通常、手作業にて記録していかなくてはならないため、記録間違いを生じてしまう場合もあり、不確実な一面も有している。
【００１４】
一方、ぱちんこの営業所におけるスロットマシンに対しては、それを管轄および所管する行政および風俗適正化法により、設置許可後の遊技機に対する電気的な接続等による改造が厳しく禁止されているため、一度設置をしてしまうと、直接的な結線を伴う改造等は許されない。すなわち、複数の遊技機の設定値を自動で読み取り、また、集中管理により設定値を確認できるシステム等を、既存の機器に追加しようと考えても、容易に付加することはできない。
【００１５】
本発明は、上記課題を解決するものであり、遊技機本体の扉の開閉作業を伴わず、且つ、既存の機器に対して直接的な結線を伴わずに追加され、設定値の確認を確実且つ容易にする遊技機の設定値識別装置を提供することを目的とする。
【課題を解決するための手段】
【００１６】
本発明は上記目的を達成するため、遊技および設定の機能を制御する制御手段と、前記制御手段に接続され、設定値表示状態と設定値非表示状態とに切り替える切替信号を前記制御手段へ送信する状態切替手段と、前記制御手段に接続され、この制御手段から送信される表示信号を受けて設定値を７セグメントで表示する設定値表示手段とを備えた遊技機の設定値識別装置であって、前記状態切替手段と前記制御手段とを接続して前記切替信号を伝送する第１の接続線に対して非接触で装着する第１の電流検出手段と、前記７セグメントと前記制御手段とを接続して前記表示信号を伝送する複数の第２の接続線のうち３つに対して非接触で装着する第２の電流検出手段と、前記第１の電流検出手段が前記切替信号を検出すると、前記第２の電流検出手段により検出された前記表示信号の一部に基づいて設定値を識別する識別手段と、識別した設定値を示す情報を記憶する記憶手段と、記憶した設定値を示す情報を出力する出力手段とを有することを特徴とするものである。
【００１７】
このような構成により、第１の接続線から切替信号が電流変化として検出されたとき、すなわち、設定値の変更又は確認の操作が行われたとき、これに応じて第２の接続線から表示信号の一部が電流変化として検出され、検出された設定値が識別され、記憶され、出力される。したがって、個々の遊技機の扉を開けてキー操作を行わずとも、出力された設定値を確認することにより、容易に設定値を把握することが可能となる。また、第２の電流検出手段は、７セグメントのうち３つのみに対して装着すればよいので、簡易な設置が可能となる。
【００１８】
また、本発明は、遊技および設定の機能を制御する制御手段と、前記制御手段に接続され、設定値表示状態と設定値非表示状態とに切り替える切替信号を前記制御手段へ送信する状態切替手段と、前記制御手段に接続され、この制御手段から送信される表示信号を受けて設定値を７セグメントで表示する設定値表示手段と、前記制御手段に接続され、電源スイッチを有する電源手段とを備えた遊技機の設定値識別装置であって、前記状態切替手段と前記制御手段とを接続して前記切替信号を伝送する第１の接続線に対して非接触で装着する第１の電流検出手段と、前記７セグメントと前記制御手段とを接続して前記表示信号を伝送する複数の第２の接続線のうち３つに対して非接触で装着する第２の電流検出手段と、前記電源手段と前記制御手段とを接続する第３の接続線に対して非接触で装着する第３の電流検出手段と、前記第３の電流検出手段が前記電源スイッチがオフからオンに切り替わったことを検出し、且つ前記第１の電流検出手段が前記切替信号を検出すると、前記第２の電流検出手段により検出された前記表示信号の一部に基づいて設定値を識別する識別手段と、識別した設定値を示す情報を記憶する記憶手段と、記憶した設定値を示す情報を出力する出力手段とを有することを特徴とする。
【００１９】
このような構成により、電源スイッチがオフからオンに切り替わったことを第３の電流検出手段が検出し、且つ第１の接続線から切替信号が電流変化として検出されたとき、すなわち、設定値の変更の操作が行われたとき、これに応じて第２の接続線から表示信号の一部が電流変化として検出され、検出された設定値が識別され、記憶され、出力される。したがって、個々の遊技機の扉を開けてキー操作を行わずとも、出力された設定値を確認することにより、容易に変更された設定値を把握することが可能となる。また、第２の電流検出手段は、７セグメントのうち３つのみに対して装着すればよいので、簡易な設置が可能となる。
【００２０】
また、本発明において、前記電流検出手段は、クランプ式交流電流センサであることが好適である。
【発明の効果】
【００２１】
本発明によれば、設定値を表示した時の設定値、言い換えれば、設定値を変更した時の変更後の設定値と、設定値を確認した時の設定値とが出力されるので、遊技機の扉を開けて、設定値確認変更装置に対する操作を行わずに、設定値を容易に把握することが可能となる。また、第２の電流検出手段は、７セグメントのうち３つのみに装着すればよいので、設置が簡易となり、コストの削減を図ることができる。
【００２２】
また、本発明によれば、設定値を変更した時の設定値が出力されるので、遊技機の扉を開けて、設定値確認変更装置に対する操作を行わずに、変更後の設定値を容易に把握することが可能となる。また、第２の電流検出手段は、７セグメントのうち３つのみに装着すれば良いので、設置が簡易となり、コストの削減を図ることができる。
【発明を実施するための最良の形態】
【００２３】
以下、本発明に係る遊技機の設定値識別装置およびこれを用いた設定値識別システムの実施の形態につき、図を参照しながら説明する。以下の説明は本発明の具体例であって、特許請求の範囲を限定するものではない。また、各図面中同一部分については同一符号を用いるものとする。
【００２４】
図１は本発明の第１の実施の形態に係るスロットマシンの設定値識別装置を用いた設定値識別システムを示したブロック図である。
【００２５】
この図に示す設定値確認変更装置（状態切替手段）１は、図１０に示した設定値確認変更装置１と同様に、専用のキースイッチ３４のキー操作により、設定値非表示状態である通常遊技状態と、設定値表示状態である設定値変更状態または設定値確認状態のいずれかの状態に切り替える選択入力１７を受けるものである。電源スイッチ３３がオンの状態で、キー操作を行った場合には、図９に示したスロットマシン３１の遊技や設定を制御する制御手段としての制御基板２（図１０ではＣＰＵとして表示）が通常遊技状態と設定値確認状態とに切り替えられる。また、この切り替えのキー操作が行われた状態で、電源スイッチ３３がオフからオンになった場合には、設定値変更可能状態に切り替えられる。どちらの場合も、キースイッチ３４と制御基板２とを結ぶ第１の接続線４の間を、状態が切り替わったことを伝える信号（切替信号）１１が通る。
【００２６】
設定値変更可能状態に切り替えられた場合、設定値変更ボタン３５を押す都度に設定値が変更される。尚、この実施の形態では、設定値変更ボタン３５に設定変更手段の機能とリセットボタンの機能を兼用させているが、設定変更スイッチを、別途設定値確認変更装置１に設けても良い。また、設定変更スイッチをスロットマシン３１の扉３２の裏に設けても良い。
【００２７】
また、制御基板２は、スロットマシン３１の正面に配置された貯留枚数及び設定値を表示する表示器（設定値表示手段）３と、複数の信号線からなる第２の接続線５により接続されている。尚、貯留枚数を表示する表示器３とは別に、設定値を表示する設定値表示手段を別途、スロットマシン３１の正面又は内部に配置してもよい。これらは従来と同様の構成である。
【００２８】
上記従来の構成に対して、この実施の形態では、設定値識別装置６ａ及びデータ収集装置８が追加される。この設定値識別装置６ａは、第１のクランプ式交流電流センサ（以下第１のセンサと呼ぶ）９と、第２のクランプ式交流電流センサ（以下第２のセンサと呼ぶ）１０ａ〜１０ｃとを備えると共に、これら第１及び第２のセンサ９、１０ａ〜１０ｃから得られる信号により設定値を識別し、記憶し、出力する設定値識別装置本体７を備えている。このように、この実施の形態の設定値識別装置本体７は、設定値の識別手段、記憶手段および出力手段としての機能を兼ね備えている。そして、第１のセンサ９が第１の接続線４に対して直接的な結線を行わず、接続線の外側の被覆の上から、金属線に非接触状態で装着され、同様に第２のセンサ１０ａ〜１０ｃが第２の接続線５に非接触状態で装着される。
【００２９】
また、データ収集装置８は設定値識別装置本体７に接続される。このデータ収集装置８は、複数のスロットマシン３１に対応するものであり、図では省略しているが、複数の設定値識別装置６ａと接続されている。このデータ収集装置８を用いた設定値識別システムの具体例については後に説明することとし、ここでは、先ず、設定値識別装置６ａについて説明を行う。
【００３０】
図２は、図１の第１のセンサの拡大斜視図であり、図３は、図１の設定値確認変更装置および第１の接続線周辺の回路図である。
【００３１】
第１のセンサ９は、共に、開閉自在なクランプ開閉部２０を有しており、図２の（ａ）に示すようにクランプ開閉部２０を開放した状態で、第１の接続線４と交差させた後、クランプ開閉部２０が閉じられ、図２の（ｂ）の状態となる。このように、既存の信号配線である第１の接続線４に何ら直接的な結線を行うことなく第１のセンサ（第１の電流検出手段）９が容易に装着される。尚、図２では、第１のセンサを例として示したが、第２のセンサ（第２の電流検出手段）１０ａ〜１０ｃについても同様である。
【００３２】
設定値確認変更装置１のキースイッチ３４の操作により設定値表示状態となった場合、設定値変更状態又は設定値確認状態の何れかの状態でも現在の設定値が表示される。キースイッチ３４と制御基板２とを結ぶ第１の接続線４の間を信号１１が通る。このとき、この信号１１による電流値の変化が第１のセンサ９により検出されると共に、検出された検出信号１３が設定値識別装置本体７へ送信される。
【００３３】
そして、この信号１１により、制御基板２は設定値を表示させるために、第２の接続線５を介して表示器３へ表示信号１２を送信する。このとき、第２の接続線５の外側の被覆上から、接続線の金属線に非接触に装着された第２のセンサ１０ａ〜１０ｃにより、表示信号１２による電流値の変化が検出される。詳しくは後述するが、この実施の形態では、第２の接続線５は７セグメントを構成する７つのセグメントに対応して少なくとも７本備えられており、第２のセンサ１０ａ〜１０ｃは、これらのうち、６段階の設定値を認識するのに必要最低限の３本に装着されている。尚、第２のセンサを７本全部に装着しても良いが、その場合、第２のセンサが７個必要となる。
【００３４】
尚、設定値非表示状態である通常遊技状態では、表示手段が設定表示と貯留枚数の表示の機能を兼ねている場合、貯留枚数が表示されるため、表示信号１２が制御基板２から表示器３へ送信されるが、キースイッチ３４と制御基板２とを接続する第１の接続線４の間を信号１１が通らないので、設定値識別装置本体７は、表示された値を設定値として認識しない。
【００３５】
次に、この組み付け状態の詳細を図４および図５を用いて説明する。
【００３６】
図４は本発明の第１の実施の形態に係るスロットマシンの貯留枚数および設定値を表示する７セグメントＬＥＤ方式の表示器を示した図であり、図５は図４の各セグメントに対応するＬＥＤ周辺の回路図である。尚、各ＬＥＤａ〜ＬＥＤｇ、ＬＥＤDPの電流を制御するドライバが“Ｌ”レベルを基準として構成されているか、“Ｈ”レベルを基準として構成されているかによって、アノードコモンまたはカソードコモンのいずれかの形態が採用される。図５の（ａ）はアノードコモンの状態を示し、また、（ｂ）はカソードコモンの状態を示している。尚、説明の便宜上、小数点ＤＰを表示するためのＬＥＤを含めずに、ＬＥＤａ〜ＬＥＤｇについてのみ説明を行う。
【００３７】
上記複数の信号配線よりなる第２の接続線５は、それぞれが、図４のセグメント２１ａ〜２１ｇの各々に対応しており、この第２の接続線５に流れるオン及びオフの信号の組み合わせに対応して、各セグメント２１ａ〜２１ｇのＬＥＤａ〜ＬＥＤｇがオン又はオフに切り換えられる。したがって、この表示信号１２による電流の変化を検出すれば、表示器３に表示される数値を認識することが可能である。すなわち、スロットマシン３１の設定値は、６段階を超えないことと規則により決められており、最高で６段階であり、殆どのスロットマシンの設定値は６段階となっていることから、１〜６の６種類の値を区別できるような最低限の組み合わせ信号のみを検出すれば、第２のセンサの数を削減でき、コストダウンが実現できる。この組み合わせについては、次の図６を用いて説明する。
【００３８】
図６は本発明の第１の実施の形態に係るスロットマシンの設定値とＬＥＤの点灯状態との関係図である。
【００３９】
この図に示すように、セグメント２１ａ、２１ｅおよび２１ｆに対応するＬＥＤａ、ＬＥＤｅおよびＬＥＤｆのオン及びオフの状態の組み合わせは、設定値１〜６に対してすべて異なる組み合わせとなっている。このように、表示器３に用いられるすべてのセグメント２１ａ〜２１ｇに対応する全ての表示信号１２を検出せずとも、これら表示信号１２の一部である、３つのセグメント２１ａ、２１ｅおよび２１ｆに対応する表示信号１２のみを検出すれば、設定値１〜６までのすべての数値を識別することが可能である。但し、ここで、設定値“１”を示すＬＥＤａ、ＬＥＤｅおよびＬＥＤｆの点灯状態の組み合わせは、すべてオフとなっている。したがって、この組み合わせとなるときは、表示器３が動作している状態と動作していない状態との区別がつかない。このため、動作していること（通電状態）を確認するために、コモン側に、更に一つ電流センサ１０ｄを装着する必要がある。この取付け状態は、上記の図５に示されている（但し、図１では省略している）。これは表示器３に設定値と貯留枚数の両方などを表示する場合、複数桁の７セグメントが用いられるが、一般的には、各７セグメントを同時に表示せず、複数桁の７セグメントの内、あるタイミングで表示されるのは、１つの７セグメントとし、人間の目の特性である残像現象を利用して、複数桁の７セグメントが同時に表示されているように見せていることがあるためである。
【００４０】
従って、設定値表示状態の場合、設定値を表示する７セグメントが、常時設定値を表示すれば、コモン側に電流センサを設ける必要はない。
【００４１】
このように、第１の接続線４から第１のセンサ９により検出された信号１１に基づく検出信号１３に応じて、設定値識別装置本体７は、第２の接続線５を介して送信される表示信号１２の一部を、第２のセンサ１０ａ〜１０ｃにより検出する。そして、この表示信号１２の一部の組み合わせからなる検出信号１４ａ〜１４ｃから設定値がどの値であるかが判断され、その判断結果である検出された設定値を示す情報が設定値情報１６として設定値識別装置本体７に記憶され、出力される。尚、この実施の形態においては、この検出された設定値を示す情報と共に、検出された時刻の情報も含めて設定値情報１６として記憶され、出力される。これにより、設定値を確認又は変更をした際の設定値が時系列において明確になる。
【００４２】
また、前回の設定値と今回の設定値とが同じであれば、設定の確認または、同一設定値への打ち直しとなり、設定値が異なれば、設定の変更ということが分かる。
【００４３】
図７は、本発明の第２の実施の形態に係るスロットマシンの設定値識別装置を示したブロック図である。
【００４４】
この実施の形態では、上記において図１を用いて示した第１の実施の形態とほぼ同じ構成であるが、設定値識別装置６ａが、データ表示部２９を有し、更に第３の電流検出手段としての第３のクランプ式交流電流センサ（以下、第３のセンサと呼ぶ）１９を備えた設定値識別装置６ｂとなっている点において異なる。データ表示部２９は、例えばキースイッチやリモコンの受信部などの入力手段を有し、遊技機の上部にある呼び出しランプの横等に設けられ、キースイッチのオンなどにより設定値確認変更装置１に送信されたデータ要求信号１５ｂに応じて得られる設定値情報１６に基づいて、設定値を表示するものである。そして、上記第３のセンサ１９は、設定値確認変更装置１に備えられた電源スイッチ３３と制御手段としての制御基板２とを接続する電源ケーブル（第３の接続線）１８に対して、上記の第１のセンサ９および第２のセンサ１０ａ〜１０ｃと同様に、直接的な結線を行わずに装着されている。
【００４５】
このような構成において、この実施の形態の設定値識別装置６ｂは、電源スイッチ３３がオン状態であることが、通電状態の変化として現れる電源信号２３の電流変化に基づく検出信号２２として第３のセンサ１９により検出され、且つ設定値確認変更装置１のキースイッチ３４が通常遊技位置Ａから設定値変更位置Ｂへ切り替えられたときの信号（切替信号）１１の電流変化が第１のセンサ９により検出されたとき、第２のセンサ１０ａ〜１０ｃにより検出された表示信号１２の一部から設定値が識別され、記憶され、データ表示部２９とデータ収集装置８に出力される。すなわち、手動操作による設定値の確認時に、設定値が記憶され、データ収集装置８に出力される。
【００４６】
また、電源スイッチ３３のオフからオンへの状態変化に伴う電流変化がスイッチ信号２３に基づいて第３のセンサ１９により検出され、且つ設定値確認変更装置１のキースイッチ３４が通常遊技位置Ａから設定値変更位置Ｂへ切り替えられたときの信号１１の電流変化が第１のセンサにより検出されたときにも、第２のセンサ１０ａ〜１０ｃにより検出された表示信号１２の一部から設定値が識別され、記憶され、データ表示部２９とデータ収集装置８に出力される。すなわち、設定値変更時にも設定値が記憶され、データ表示部２９とデータ収集装置８に出力される。データ表示部２９では、変更された設定値を示す設定値情報１６を受信すると、データ表示部２９に設けられたランプの点滅などにより、設定変更が行われたことの報知を行い、キースイッチ３４のオンにより、ランプの点滅を停止し、変更された設定値の表示を行う。これにより、管理者は、営業中に設定変更が行われたことが分かり、キーを所有する管理者は、遊技機の扉の開閉を行わずに、キーを用いて設定値を確認することができる。また、営業終了後の設定値の確認も、遊技機の扉の開閉を行わずに、キーを用いて確認することができる。
【００４７】
なお、データ表示部２９は、任意の台数、例えば１つの島に設置された遊技機の台数につき１つを島端に設けてもよい。
【００４８】
このように、この実施の形態では、電源スイッチ３３の動作状態も組み合わせて判断するので、設定値変更と設定値確認とを区別して記憶しておくことができ、より確実な設定値の管理が可能となる。
【００４９】
なお、第２の実施の形態では、第３のセンサを用いて、確認された設定値を得たが、確認された設定値を、第１の実施の形態での設定値を表示した時の設定値から、第２の実施の形態での設定値を変更した時の設定値を除外することにより得てもよい。
【００５０】
次に、上記設定値識別装置６ａ、６ｂを用いた設定値識別システムの具体例について説明する。
【００５１】
図８は本発明の第３の実施の形態に係る図１の設定値識別システムの具体例を示す構成図である。
【００５２】
この図に示すように、スロットマシン３１は通常数十台ほどが遊技場内に設置される。ここで、子機ユニット２４として示されているものは、上記図１に示した設定読出装置本体７に相当するものである。そして、信号配線２５は内部で各スロットマシン３１の第１の接続線４及び第２の接続線５に装着される第１及び第２のセンサ９、１０ａ〜１０ｃから延びる配線である。これら子機ユニット２４は、それぞれ図１の設定値識別装置本体７の２セット分に相当する機能を有している。なお、子機ユニット２４は、１台の遊技機に対して１台、つまり、１対１で設けてもよいし、また、複数台の遊技機に対して１台、つまり、多数対１として設けてもよい。そして、これら子機ユニット２４は、各スロットマシン３１内に設置された第１及び第２のセンサ９、１０ａ〜１０ｃより検出された検出信号１３、１４を高感度アナログ増幅回路及び耐ノイズ性の優れた回路を介して取り込み、マイコンの確実な処理により認識された設定値を記憶する機能を有する。また、各々の子機ユニット２４は通信に必要な固有のアドレスを持ち、以下に説明する島間ユニット２６からのポーリングによりデータ通信を行う機能も有している。なお、子機ユニット２４は、ポーリングによらず、設定の表示（確認や変更）の行われた際に、島間ユニット２６にデータを送信（出力）するようにしてもよい。
【００５３】
島間ユニット２６として示されているものは、各子機ユニット２４に対してデータを要求する、図１のデータ収集装置８に相当するものである。この島間ユニット２６は、データ要求信号１５ａ（図１を参照）を島内に設置された複数台の子機ユニット２４へ送信することにより、これら各子機ユニット２４から、それぞれが記憶している設定値情報１６を収集すると共に、これら収集された設定値情報１６に含まれる設定値および時刻等を、データベース化のために集中管理部２７（例えば、事務所内等に設置された記憶・表示用ＰＣ）へ送信する機能を有している。ここで、集中管理部２７等の外部への送信には、ＬＡＮが用いられる。
【００５４】
なお、本実施の形態では、１つの島毎に島間ユニット２６を設けたが、島毎に限られず、任意の遊技機の台数毎、フロア毎、通路毎又は所定のブロック毎でもよい。また、島間ユニット２６を設けずに、集中管理部２７が各子機ユニット２４と直接通信を行うようにしても良い。また、このように直接通信を行う場合には、集中管理部２７が設定値情報１６を受信した時刻を設定値情報１６に対応付けて記憶すれば、子機ユニット２４が、設定値を検出した時刻を設定値に対応付けて記憶、出力する必要はない。
【００５５】
したがって、集中管理部２７である事務所内記録・表示用ＰＣでは、各スロットマシン３１のすべての設定値変更状態を、変更時刻等を合わせた設定値により容易に確認することができる。
【００５６】
また、すべての子機ユニット２４からの信号を設定値の表示、印字等必要に応じてデータを表示することも可能である。尚、インターネット通信の可能な構成を用いて数値表示を外部（集中管理部２７）より容易に操作できるリモート・オプションを追加することが可能である。
【００５７】
このように、この実施の形態によれば、各スロットマシン３１毎に巡回して確認しなくても良いので、閉店後でなくても極めて容易に確認作業を実施することが可能となり、しかも、既存の機器に一切電気的接続による改造を施すことはないので、行政および風俗適正化法等に反することもない。
【００５８】
尚、上記の実施の形態では、第１及び第２の接続線から非接触で、状態を切り替える信号又は電源のオンオフ状態を示す信号と、表示信号とを検出する構成として、クランプ式交流電流センサを用いる例を示した。しかし、例えば、通常遊技状態と設定値確認変更状態との間の切り替えの際にキースイッチに対して行うキー操作を、非接触で光により検出する構成を併用しても良い。具体的には、投光器および受光器の組み合わせにより遮光検知する構成を、キー操作位置に設け、キーが何れかの方向に切り替えられ、キーの角度が変わったことを、キーによる遮光の有無として検知する構成等が挙げられる。この場合、設定値識別装置本体にて、この光検知器からの検出信号と第1のセンサからの検出信号とを共に受ける構成とする。そして、設定値識別装置本体側では、両検出信号が検出された場合にのみ第２のセンサの検出信号に基づき、設定値を識別することとすれば、設定値の識別及び確認を更に確実なものとすることが可能である。
【００５９】
また、上記の実施の形態では、制御基板から表示器に送信される設定値の表示信号を検出するために、第２の接続線のうち、最低限必要な一部（３つ）に対してのみ、第２のセンサを用いた構成を例として示したが、これより多く用いてもよく、更に、第２の接続線を構成する信号配線の全てに対して用いる構成であってもよい。
【００６０】
更に、上記の実施の形態では、設定値識別装置が記憶する設定値情報に、設定値と共に時刻の情報も含まれる構成を例として示したが、この時刻の情報は含まれていなくても良く、また、時刻以外の情報を追加する構成であっても構わない。
【００６１】
更に、上記の第２の実施の形態では、電源スイッチは設定値確認変更装置に設けられる構成を例として示したが、設定値確認変更装置とは別体となる電源手段を設ける構成であっても構わない。
【産業上の利用可能性】
【００６２】
本発明は、設定変更毎に設定値と設定時刻とを記録し、データを出力することができるので、回胴式遊技機の扉を開けることなく、回胴式遊技機の設定値の確認を正確に行えるので、多数の回胴式遊技機を備えるぱちんこ営業所の事務所等において、設定値を集中管理する場合に有用である。
【図面の簡単な説明】
【００６３】
【図１】本発明の第１の実施の形態に係るスロットマシンの設定値識別装置を用いた設定値識別システムを示したブロック図である。
【図２】図１の第１のセンサの拡大斜視図である。
【図３】図１の設定値確認変更装置および第１の接続線周辺の回路図である。
【図４】本発明の第１の実施の形態に係るスロットマシンの貯留枚数および設定値を表示する７セグメントＬＥＤ方式の表示器を示す図である。
【図５】図４の各セグメントに対応するＬＥＤ周辺の回路図である。
【図６】本発明の第１の実施の形態に係るスロットマシンの設定値とＬＥＤの点灯状態との関係図である。
【図７】本発明の第２の実施の形態に係るスロットマシンの設定値識別装置を用いた設定値識別システムを示したブロック図である。
【図８】本発明の第３の実施の形態に係る設定値識別システムの具体例を示す構成図である。
【図９】従来のスロットマシンの設置状態を示した外観斜視図である。
【図１０】図９のスロットマシンの内部に設置される設定値確認変更装置の拡大図である。
【図１１】図９のスロットマシンの正面図である。
【符号の説明】
【００６４】
１  設定値確認変更装置（状態切替手段）
２  制御基板
３  表示器（設定値表示手段）
４  第１の接続線
５  第２の接続線
６ａ、６ｂ  設定値識別装置
８  データ収集装置
９  第１の〔クランプ式交流電流〕センサ（第１の電流検出手段）
１０ａ、１０ｂ、１０ｃ  第２の〔クランプ式交流電流〕センサ（第２の電流検出手段）
１１  信号（切替信号）
１２  表示信号
１３、１４、２３  検出信号
１５ａ、１５ｂ  データ要求信号
１８  電源ケーブル（第３の接続線）
１９  第３の〔クランプ式交流電流〕センサ（第３の電流検出手段）
２１  セグメント
２３  電源信号
２４  子機ユニット〔設定値識別装置本体〕（識別手段、記憶手段、出力手段）
２６  島間ユニット（データ収集装置）
３１  スロットマシン（回胴式遊技機）
３３  電源スイッチ
【図１】
2008125877.tif 000003
【図２】
2008125877.tif 000004
【図３】
2008125877.tif 000005
【図４】
2008125877.tif 000006
【図５】
2008125877.tif 000007
【図６】
2008125877.tif 000008
【図７】
2008125877.tif 000009
【図８】
2008125877.tif 000010
【図９】
2008125877.tif 000011
【図１０】
2008125877.tif 000012
【図１１】
2008125877.tif 000013